【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
光を照射する発光手段と、
カメラ側から送出される焦点距離情報に応じて、前記発光手段の照射角度を制御する照射角制御手段とを備えた電子閃光装置において、
前記照射角制御手段は、
カメラ側から１個の焦点距離情報が送出された場合、前記発光手段の照射角度を「前記焦点距離情報」と「予め定められた１番目の撮像画面サイズ」とに対応した角度に制御し、
カメラ側から２個以上の焦点距離情報が送出された場合、前記発光手段の照射角度を「２番目に送出された焦点距離情報」と「予め定められた２番目の撮像画面サイズ」とに対応した角度に制御する
ことを特徴とする電子閃光装置。
【請求項２】
光を照射する発光手段と、
カメラ側から送出される焦点距離情報に応じて、前記発光手段の照射角度を制御する照射角制御手段とを備えた電子閃光装置において、
前記照射角制御手段は、
カメラ側から１個の焦点距離情報が送出された場合、前記発光手段の照射角度を前記焦点距離情報と「予め定められた１番目の撮像画面サイズ」とに対応した角度に制御し、
カメラ側からＮ個（Ｎ≧２）の焦点距離情報が送出された場合、前記発光手段の照射角度を「Ｎ番目の焦点距離情報」と「予め定められたＮ番目の撮像画面サイズ」とに対応した角度に制御する
ことを特徴とする電子閃光装置。
【請求項３】
請求項１または請求項２に記載の電子閃光装置において、
前記撮像画面サイズの順番は、撮像画面の対角線の長い順に予め設定されてなる
ことを特徴とする電子閃光装置。
【請求項４】
請求項１または請求項２に記載の電子閃光装置に対して焦点距離情報を送出するカメラであって、
撮影光学系を介して結像された被写体像を、前記電子閃光装置の側で設定されたＭ番目（Ｍ≧２）の撮像画面サイズで撮像する撮像手段と、
前記電子閃光装置に対して、前記撮影光学系の焦点距離情報をＭ個送出する情報送出手段と
を備えたことを特徴とするカメラ。
【請求項５】
光を照射する発光手段と、
カメラ側から送出される焦点距離情報に応じて、前記発光手段の照射角度を制御する照射角制御手段とを備えた電子閃光装置において、
前記照射角制御手段は、
カメラ側の送出情報によって、焦点距離および撮像画面サイズを示す情報を識別し、前記発光手段の照射角度を「前記焦点距離情報」と「前記撮像画面サイズ」とに対応した角度に制御する
ことを特徴とする電子閃光装置。
【請求項６】
請求項５に記載の電子閃光装置に対して焦点距離情報を送出するカメラであって、
撮影光学系を介して結像された被写体像を撮像する撮像手段と、
前記電子閃光装置に対して、焦点距離および撮像画面サイズを識別させる情報を送出する情報送出手段と
を備えたことを特徴とするカメラ。
【手続補正２】
【補正対象書類名】明細書
【補正対象項目名】０００６
【補正方法】変更
【補正の内容】
【０００６】
そこで、請求項１，２，５に記載の発明では、カメラ側から送られる焦点距離情報のみに従って、照射角度を適切に自動調整する電子閃光装置を提供することを目的とする。
請求項３に記載の発明では、請求項１，２の目的と併せて、従来のカメラシステムに対して上位互換性を有する電子閃光装置を提供することを目的とする。
【手続補正３】
【補正対象書類名】明細書
【補正対象項目名】０００７
【補正方法】変更
【補正の内容】
【０００７】
請求項４に記載の発明では、請求項１〜３，６に記載の電子閃光装置に対し、適正な焦点距離情報を送出するカメラを提供することを目的とする。
【手続補正４】
【補正対象書類名】明細書
【補正対象項目名】００１０
【補正方法】変更
【補正の内容】
【００１０】
請求項３に記載の発明は、請求項１または請求項２に記載の電子閃光装置において、撮像画面サイズの順番は、撮像画面の対角線の長い順に予め設定されてなることを特徴とする。
請求項４に記載の発明は、請求項１または請求項２に記載の電子閃光装置に対して焦点距離情報を送出するカメラであって、撮影光学系を介して結像された被写体像を、電子閃光装置の側で設定されたＭ番目（Ｍ≧２）の撮像画面サイズで撮像する撮像手段と、電子閃光装置に対して、撮影光学系の焦点距離情報をＭ個送出する情報送出手段とを備えたことを特徴とする。
請求項５に記載の電子閃光装置は、光を照射する発光手段と、カメラ側から送出される焦点距離情報に応じて、発光手段の照射角度を制御する照射角制御手段とを備えた電子閃光装置において、照射角制御手段は、カメラ側の送出情報によって、焦点距離および撮像画面サイズを示す情報を識別し、発光手段の照射角度を「焦点距離情報」と「撮像画面サイズ」とに対応した角度に制御することを特徴とする。
請求項６に記載のカメラは、請求項５に記載の電子閃光装置に対して焦点距離情報を送出するカメラであって、撮影光学系を介して結像された被写体像を撮像する撮像手段と、電子閃光装置に対して、焦点距離および撮像画面サイズを識別させる情報を送出する情報送出手段とを備えたことを特徴とする。
【手続補正５】
【補正対象書類名】明細書
【補正対象項目名】００１９
【補正方法】変更
【補正の内容】
【００１９】
ここで、情報送出手段は、Ｍ個の焦点距離情報を送出する。したがって、請求項１〜３に記載の電子閃光装置に対し、Ｍ番目の撮像画面サイズであることが正しく伝達される。
請求項５にかかわる電子閃光装置では、カメラ側からの送出情報により焦点距離および撮像画面サイズの情報を識別する。照射角制御手段は、発光手段の照射角度を「この焦点距離情報」と「この撮像画面サイズ」とから定まる撮影画角に対応する角度に制御する。
請求項６に記載のカメラは、電子閃光装置に対して、焦点距離および撮像画面サイズを識別させる情報を送出する。したがって、請求項５に記載の電子閃光装置に対し、焦点距離および撮像画面サイズを示す情報を伝達することができる。
【手続補正６】
【補正対象書類名】明細書
【補正対象項目名】００２１
【補正方法】変更
【補正の内容】
【００２１】
（第１の実施形態）
第１の実施形態は、請求項１，３，５に対応した電子閃光装置１５と、請求項４，６に対応したＡＰＳカメラ１１の実施形態である。
図１は、第１の実施形態を示す図である。
図１において、ＡＰＳカメラ１１のレンズマウント部には、撮影光学系１２が取り付けられる。この撮影光学系１２の像空間には、ＡＰＳフィルム１３（ＩＸ２４０フィルム）およびシャッタ機構１４が配置される。
【手続補正７】
【補正対象書類名】明細書
【補正対象項目名】００２５
【補正方法】変更
【補正の内容】
【００２５】
なお、請求項１，３，５に記載の発明と第１の実施形態との対応関係については、発光手段は発光管２２に対応し、照射角制御手段は照射角制御モータ２３およびＣＰＵ１７の「照射角制御モータ２３を制御する機能」に対応する。
請求項４，６に記載の発明と第１の実施形態との対応関係については、撮像手段はシャッタ機構１４およびＡＰＳフィルム１３に対応し、情報送出手段はカメラ内ＣＰＵ１６の「ＣＰＵ１７へ焦点距離情報を送出する機能」に対応する。
【手続補正８】
【補正対象書類名】明細書
【補正対象項目名】００３９
【補正方法】変更
【補正の内容】
【００３９】
次に、別の実施形態について説明する。
（第２の実施形態）
第２の実施形態は、請求項２，３，５に対応した電子閃光装置３１と、請求項４，６に対応したカメラ３３〜３５の実施形態である。
図６は、第２の実施形態を説明する図である。
【手続補正９】
【補正対象書類名】明細書
【補正対象項目名】００５１
【補正方法】変更
【補正の内容】
【００５１】
このように、従来のカメラシステムに対して使用した場合においても、被写体照明にケラレは生じない。したがって、十分な上位互換性が保たれる。
請求項４に記載のカメラでは、電子閃光装置の側で設定されたＭ番目（Ｍ≧２）の撮像画面サイズで撮像する場合に、焦点距離情報をＭ個送出する。したがって、請求項１〜３に記載の電子閃光装置に対し、撮像画面サイズを正しく伝達することができる。
請求項５に記載の電子閃光装置では、焦点距離と撮像画面サイズの情報を判断することによって、照射角度をカメラの撮影画角に合わせて適正に自動調整することが可能となる。
請求項６に記載のカメラでは、撮像手段の撮像画面サイズを電子閃光装置に情報伝達する。したがって、請求項５に記載の電子閃光装置に対し、撮像画面サイズを正しく伝達することができる。